(57)【特許請求の範囲】
【請求項１】
画像を表す画像情報と、前記画像の種類が第一画調、及び又は第二画調を表す画像であるかを表す種類情報と、が対応付けられた画像データから、互いに対応付けられた前記画像情報と、前記種類情報と、を取得する情報取得部と、
前記種類情報に基づいて、前記取得された画像情報で表される画像が、前記第一画調を表す画像であるか前記第一画調とは異なる種類の前記第二画調を表す画像であるかを特定する特定部と、
前記特定部で前記第二画調を表す画像であると特定された画像の画調を前記第一画調に変換する変換部と、を備え、
前記第二画調を表す画像データは写真調の画像データであり、前記第一画調を表す画像データは絵画調の画像データであることを特徴とする画像処理装置。
【請求項２】
画像を表す画像情報と、前記画像の種類が第一画調、及び又は第二画調を表す画像であるかを表す種類情報と、が対応付けられた画像データを複数記憶する画像情報記憶部をさらに備え、
前記情報取得部は、前記画像情報記憶部に記憶されている画像データから、互いに対応付けられた前記画像情報と、前記種類情報と、を複数取得し、
前記特定部は、前記種類情報に基づいて、前記取得された複数の画像情報でそれぞれ表される画像が、前記第一画調を表す画像であるか前記第一画調とは異なる種類の前記第二画調を表す画像であるかを特定する、
ことを特徴とする請求項１に記載の画像処理装置。
【請求項３】
前記変換部で前記第一画調に変換された画像と、前記特定部で前記第一画調を表す画像であると特定された画像と、を表示する表示部をさらに備えたことを特徴とする請求項２に記載の画像処理装置。
【請求項４】
前記画像情報記憶部は、前記画像情報に対して、前記画像情報で表される画像を作成した作成者を識別する作成者識別情報を対応付けてさらに記憶し、
前記情報取得部は、前記画像情報記憶部から、前記画像情報と対応付けられた前記作成者識別情報をさらに取得し、
前記表示部によって画像を表示されるユーザを識別するユーザ識別情報を記憶するユーザ情報記憶部をさらに備え、
前記表示部は、前記情報取得部で取得された画像情報であって、前記ユーザ情報記憶部に記憶されたユーザ識別情報と同一の作成者識別情報と対応付けられた画像情報で表される画像を、前記取得された画像情報であって前記ユーザ識別情報と異なる作成者識別情報と対応付けられた画像情報で表される画像の表示態様と異なる表示態様で表示する、
ことを特徴とする請求項３に記載の画像処理装置。
【請求項５】
画像を撮像する撮像部をさらに備え、
前記特定部は、前記撮像部で撮像された画像の色調をさらに特定し、
前記表示部は、前記ユーザ識別情報と同一の作成者識別情報と対応付けられた画像情報で表される画像を、前記特定部で特定された色調であって、前記ユーザ識別情報と異なる作成者識別情報と対応付けられた画像の色調と異なる色調で表示する、
ことを特徴とする請求項４に記載の画像処理装置。
【請求項６】
前記表示部は、前記ユーザ識別情報と同一の作成者識別情報と対応付けられた画像情報で表される画像を、前記ユーザ識別情報と異なる作成者識別情報と対応付けられた画像情報で表される画像の表示時間と異なる時間に亘って表示する、
ことを特徴とする請求項４に記載の画像処理装置。
【請求項７】
前記表示部は、
画像を表示するパネルと、
当該パネルを照らす照明と、を有し、
前記パネルが前記ユーザ識別情報と同一の作成者識別情報と対応付けられた画像情報で表される画像を表示する場合と、前記パネルが前記ユーザ識別情報と異なる作成者識別情報と対応付けられた画像情報で表される画像を表示する場合と、で、前記照明が前記パネルを照らすか否かが異なる、
ことを特徴とする請求項４に記載の画像処理装置。
【請求項８】
ユーザを検出する検出部をさらに備え、
前記表示部は、画像を表示していない状態において前記検出部でユーザが検出されると、所定時間内に前記ユーザ識別情報と異なる作成者識別情報と対応付けられた画像情報で表される画像を表示するか、前記所定時間後に前記ユーザ識別情報と同一の作成者識別情報と対応付けられた画像情報で表される画像を表示するかのいずれかを行う、
ことを特徴とする請求項４に記載の画像処理装置。
【請求項９】
ユーザを検出する検出部をさらに備え、
前記照明は、前記ユーザ識別情報と異なる作成者識別情報と対応付けられた画像情報で表される画像を前記パネルが表示する場合には、前記検出部がユーザを検出してから所定時間以内に前記パネルを照らし、前記ユーザ識別情報と同一の作成者識別情報と対応付けられた画像情報で表される画像を前記パネルが表示する場合には、前記検出部がユーザを検出してから前記所定時間以内に前記パネルを照らさない、
ことを特徴とする請求項７に記載の画像処理装置。
【請求項１０】
コンピュータを、
画像を表す画像情報と、前記画像の種類が第一画調、及び又は第二画調を表す画像であるかを表す種類情報と、が対応付けられた画像データから、互いに対応付けられた前記画像情報と、前記種類情報と、を取得する情報取得部、
前記種類情報に基づいて、前記取得された画像情報で表される画像が、前記第一画調を表す画像であるか前記第一画調とは異なる種類の前記第二画調を表す画像であるかを特定する特定部、
前記特定部で前記第二画調を表す画像であると特定された画像の画調を前記第一画調に変換する変換部、として機能させ、
前記第二画調を表す画像データは写真調の画像データであり、前記第一画調を表す画像データは絵画調の画像データであることを特徴とする画像処理プログラム。
【請求項１１】
画像を表す画像情報と、前記画像の種類が第一画調、及び又は第二画調を表す画像であるかを表す種類情報と、が対応付けられた画像データから、互いに対応付けられた前記画像情報と、前記種類情報と、を取得する情報取得ステップと、
前記種類情報に基づいて、前記取得された画像情報で表される画像が、前記第一画調を表す画像であるか前記第一画調とは異なる種類の前記第二画調を表す画像であるかを特定する特定ステップと、
前記特定ステップで前記第二画調を表す画像であると特定された画像の画調を前記第一画調に変換する変換ステップと、を含み、
前記第二画調を表す画像データは写真調の画像データであり、前記第一画調を表す画像データは絵画調の画像データであることを特徴とする画像処理方法。
【発明の詳細な説明】
【技術分野】
【０００１】
本発明は、画像処理装置、画像処理プログラム及び画像処理方法に関する。
【背景技術】
【０００２】
従来から、画像を撮影する電子カメラであって、撮影した画像と他の装置から受信した画像とを、異なる形態で表示する電子カメラが知られている（例えば、特許文献１）。
【先行技術文献】
【特許文献】
【０００３】
【特許文献１】特開２００４−３５７３２７号公報
【発明の概要】
【発明が解決しようとする課題】
【０００４】
ここで、特許文献１の電子カメラでは、撮影した画像と他の装置から受信した画像とを異なる形態で表示するので表示される画像に共通の特徴がなく、画像の表示に統一性がないという問題があった。
【０００５】
本発明は、このような点に鑑みてなされたものであり、その目的とするところは、従来より統一性のある画像処理を行える画像処理装置、画像処理プログラム及び画像処理方法を提供することにある。
【課題を解決するための手段】
【０００６】
上記目的を達成するため、本発明に係る画像処理装置は、
画像を表す画像情報と、前記画像の種類が第一画調、及び又は第二画調を表す画像であるかを表す種類情報と、が対応付けられた画像データから、互いに対応付けられた前記画像情報と、前記種類情報と、を取得する情報取得部と、
前記種類情報に基づいて、前記取得された画像情報で表される画像が、前記第一画調を表す画像であるか前記第一画調とは異なる種類の前記第二画調を表す画像であるかを特定する特定部と、
前記特定部で前記第二画調を表す画像であると特定された画像の画調を前記第一画調に変換する変換部と、を備え、
前記第二画調を表す画像データは写真調の画像データであり、前記第一画調を表す画像データは絵画調の画像データであることを特徴とする。
【発明の効果】
【０００７】
本発明の画像処理装置、画像処理プログラム及び画像処理方法によれば、従来より統一性のある画像処理を行える。
【図面の簡単な説明】
【０００８】
【図１】本発明の実施形態１に係る画像表示装置の一例を示す斜視図である。
【図２】画像表示装置の一構成例を表すハードウェア構成図である。
【図３】実施形態１の画像表示装置が実行する画像表示処理の一例を表すフローチャートである。
【図４】実施形態１の画像表示装置が有する機能の一例を表す機能ブロック図である。
【図５】実施形態１の画像表示装置が記憶する画像情報テーブルの一例を表す図である。
【図６】実施形態２の画像表示装置が有する機能の一例を表す機能ブロック図である。
【図７】実施形態２の画像表示装置が記憶する画像情報テーブルの一例を表す図である。
【図８】実施形態２の画像表示装置が実行する画像表示処理の一例を表すフローチャートである。
【図９】実施形態３の画像表示装置が実行する画像表示処理の一例を表すフローチャートである。
【図１０】実施形態３の画像表示装置が実行するスライドショー表示処理の一例を表すフローチャートである。
【図１１】実施形態３の変形例の画像表示装置が実行するスライドショー表示処理の一例を表すフローチャートである。
【図１２】実施形態４の画像表示装置が実行するスライドショー表示処理の一例を表すフローチャートである。
【図１３】（ａ）は、実施形態５の画像表示装置が有する機能の一例を表す機能ブロック図である。（ｂ）は、実施形態５の画像表示装置が有する機能の他例を表す機能ブロック図である。
【図１４】実施形態５の画像表示装置が実行するスライドショー表示処理の一例を表すフローチャートである。
【図１５】実施形態５の変形例の画像表示装置が実行するスライドショー表示処理の一例を表すフローチャートである。
【発明を実施するための形態】
【０００９】
（実施形態１）
以下、本発明の実施形態１に係る画像表示装置１００について、添付図面を参照しつつ説明する。
【００１０】
画像表示装置１００は、図１に示すような、画像を表示するＬＣＤ（Liquid Crystal Display）パネル１００ｈと、ＬＣＤパネル１００ｈの表示方向Ｐｓと略平行な方向Ｐｃを撮像するＣＭＯＳ（Complementary Metal Oxide Semiconductor）センサ１００ｌと、スピーカ１００ｋと、赤外線センサ１００ｍとを正面に備えるデジタルフォトフレームである。
【００１１】
画像表示装置１００は、図１のＬＣＤパネル１００ｈ、スピーカ１００ｋ、ＣＭＯＳセンサ１００ｌ、及び赤外線センサ１００ｍと、図２に示すようなバス１００ｚで接続されたＣＰＵ（Central Processing Unit）１００ａ、ＲＯＭ（Read Only Memory）１００ｂ、ＲＡＭ（Random Access Memory）１００ｃ、ハードディスク１００ｄ、メディアコントローラ１００ｅ、無線ＬＡＮカード（Local Area Network）１００ｆ、ビデオカード１００ｇ、バックライト１００ｉ、及び操作ボタン１００ｊで構成される。
【００１２】
ＣＰＵ１００ａは、ＲＯＭ１００ｂ又はハードディスク１００ｄに保存されたプログラムに従ってソフトウェア処理を実行することで、画像表示装置１００の全体制御を行う。ＲＡＭ１００ｃは、ＣＰＵ１００ａによるプログラムの実行時において、処理対象とする情報（つまり、データ）を一時的に記憶する。
【００１３】
ハードディスク１００ｄは、各種の情報（つまり、データ）を保存した表（つまり、テーブル）を記憶する。尚、画像表示装置１００は、ハードディスク１００ｄの代わりに、フラッシュメモリを備えても良い。
【００１４】
メディアコントローラ１００ｅは、フラッシュメモリ、ＣＤ（Compact Disc）、ＤＶＤ（Digital Versatile Disc）、及びブルーレイディスク（Blu-ray Disc）（登録商標）を含む記録媒体から各種のデータ及びプログラムを読み出す。
【００１５】
無線ＬＡＮカード１００ｆは、不図示の通信網を介して接続する各種装置との間で各種情報を無線通信する。操作ボタン１００ｊは、ユーザの操作に応じた信号又は情報を入力する。
【００１６】
ビデオカード１００ｇは、ＣＰＵ１００ａから出力されたデジタル信号に基づいて画像を描画（つまり、レンダリング）すると共に、描画された画像を表す画像信号を出力する。ＬＣＤパネル１００ｈは、ビデオカード１００ｇから出力された画像信号に従って画像を表示する。バックライト１００ｉは、ビデオカード１００ｇを介したＣＰＵ１００ａの制御に従って、ビデオカード１００ｇを照らす。
【００１７】
尚、画像表示装置１００は、ＬＣＤパネル１００ｈ及びバックライト１００ｉの代わりに、ＰＤＰ（Plasma Display Panel）又はＥＬ（Electroluminescence）ディスプレイを備えても良い。スピーカ１００ｋは、ＣＰＵ１００ａから出力された信号に基づいて音声を出力する。ＣＭＯＳセンサ１００ｌは、画像表示装置１００の周囲を撮像し、撮像した画像（以下、撮像画像という）を表す情報をＣＰＵ１００ａへ入力する。赤外線センサ１００ｍは、赤外線の受光量に応じた電気信号をＣＰＵ１００ａへ入力する。
【００１８】
ＣＰＵ１００ａは、図２のハードウェアを用いて、図３に示すような画像表示処理を実行することで、図４に示すような情報取得部１０２、特定部１０３、変換部１０４として機能する。またＣＰＵ１００ａは、図２のハードディスク１００ｄ又はメディアコントローラ１００ｅによって情報の読み書きが行われる記録媒体と協働することで、画像情報記憶部１０１ａとして機能する。さらにＣＰＵ１００ａは、図２のビデオカード１００ｇ、ＬＣＤパネル１００ｈ、及びバックライト１００ｉと協働することで、図４の表示部１０５として機能する。
【００１９】
画像情報記憶部１０１ａは、図５に示すような画像情報テーブルを記憶している。この画像情報テーブルには、画像を識別する情報（以下、画像ＩＤという）と、画像を表す情報（以下、画像情報という）と、画像の種類を表す情報（以下、種類情報という）とが対応付けられて保存されている。
【００２０】
種類情報は、画像が絵画調（第一画調）を表す画像（以下、絵画画像という）であるか、絵画画像とは異なる種類の画調（第二画調）を表す画像であるかを表す。本実施形態において、絵画画像の画調とは異なる種類の画調を表す画像は、写真を表す画像（以下、写真画像という）であるとして説明を行うが、これに限定される訳ではない。また、本実施形態において、絵画は、油彩画、水彩画、及びパステル画だけでなく、イラスト、漫画（つまり、コミック）、及びＣＧ（Computer Graphics）を含む。
【００２１】
図３の画像表示処理を開始すると、情報取得部１０２は、図５の画像情報テーブルから画像ＩＤと、画像情報と、種類情報とを複数取得する（ステップＳ０１）。次に、特定部１０３は、種類情報に基づいて、取得された複数の画像情報でそれぞれ表される画像が絵画画像であるか写真画像であるかを特定する（ステップＳ０２）。
【００２２】
その後、変換部１０４は、写真画像と特定された画像の画調を、絵画フィルタを用いて、絵画調に変換する（ステップＳ０３）。具体例としては、先ず、変換部１０４は、写真画像を白黒グレイスケール化した二値化画像を生成する。次に、変換部１０４は、輪郭抽出（エッジ検出）フィルタ処理を実行することで輪郭線などを抽出する。その後、変換部１０４は、例えば、輪郭線のフラクタル次元などの当該画像の構図や輪郭の粗密や複雑さを表わす特徴量を算出する。次に、変換部１０４は、算出された値が絵画調の画像が一般的に有する特徴量の範囲に含まれるか否か判定する。このとき、変換部１０４は、算出された値が絵画調の画像が有する特徴量の範囲に含まれると判別すると、当該輪郭線などで表される絵画風の画像を生成する。これに対して、変換部１０４は、算出された値が絵画調の画像が有する特徴量の範囲に含まれないと判別すると、二値化処理や輪郭抽出のパラメータを加減調整してから上記処理を繰り返す。
【００２３】
尚、絵画調の画像が一般的に有する特徴量の範囲を表す情報は、例えば、図２のハードディスク１００ｄに記憶されている。また絵画調の画像が一般的に有する特徴量の範囲は、当業者が実験により定めることができる。
【００２４】
図３のステップＳ０３の後に、表示部１０５は、ステップＳ０２で写真画像と特定された画像であって、画調を絵画調に変換された画像と、ステップＳ０２で絵画画像と特定された画像とを、順次又はランダムに表示した後に（以下、スライドショー表示するという）、画像表示処理の実行を終了する。
【００２５】
これらの構成によれば、絵画画像とは異なる種類であると特定された画像の画調を絵画調に変換し、変換された画像と絵画画像であると特定された画像とを表示するため、統一性のある画像を表示できる。このため、絵画画像と、絵画画像は異なる種類の画調を表す画像とを表示しても、表示全体の印象が統一され、自然なスライドショーを行うことができる。
【００２６】
尚、本実施形態において、変換部１０４は、絵画画像と異なる写真画像であると特定された画像を絵画調に変換し、表示部１０５は、絵画画像であると特定された画像と、絵画調に変換された画像とを表示するとして説明したが、これに限定される訳ではない。例えば、変換部１０４は、絵画画像であると特定された画像を写真画調に変換し、表示部１０５は、写真画像であると特定された画像と、写真画調に変換された画像とを表示するとしても良い。
【００２７】
この構成によれば、絵画画像であると特定された画像の画調を写真画調に変換し、写真画調に変換された画像と写真画像であると特定された画像とを表示するため、統一性のある画像を表示できる。このため、絵画画像と、絵画画像は異なる種類の画調を表す画像とを表示しても、表示全体の印象が統一され、自然なスライドショーを行うことができる。
【００２８】
本実施形態においては、特定部１０３は、複数の画像のそれぞれについて絵画画像であるか写真画像であるかを特定し、変換部１０４は、写真画像を絵画調に単に変換するとして説明した。しかし、これに限定される訳ではなく、特定部１０３は、絵画画像であると特定した画像の種類が油彩画、水彩画、パステル画、イラスト、コミック、及びＣＧのいずれであるかをさらに特定し、変換部１０４は、特定された複数の絵画の種類の内で、最も多く特定された種類の絵画の画調に、写真画像と特定された画像を変換するとしても良い。つまり、変換部１０４は、絵画画像であると特定された画像の種類の内で最も多い種類が油彩画であれば、写真画像を油彩画調に変換するとしても良い。
【００２９】
さらに、特定部１０３は、絵画画像であると特定した画像を描いた画家又は当該画家の流派を特定し、変換部１０４は、特定された複数の画家又は流派の内で、最も多く特定された画家又は流派の画調に、写真画像を変換するとしても良い。
【００３０】
これらの構成によれば、絵画画像と特定された画像の内で最も多い種類の絵画の画調に、絵画画像とは異なる種類（つまり、写真画像）と特定された画像の画調を変換し、変換された画像と絵画画像であると特定された画像とを表示する。このため、従来よりも共通した特徴を有する画像を表示できるので、従来よりも統一性のある画像を表示できる。
【００３１】
本実施形態において、画像情報記憶部１０１ａは、画像情報と種類情報とを対応付けて記憶し、特定部１０３は、画像情報に対応付けられた種類情報に基づいて、当該画像情報で表される画像の種類を判別するとして説明した。しかしこれに限定される訳ではなく、特定部１０３は、画像を解析することで当該画像が絵画画像か絵画画像でない写真画像かを特定しても良い。具体的には、特定部１０３は、グレイスケール化された画像に対してエッジ検出フィルタ処理を実行することで抽出された輪郭線のフラクタル次元などの特徴量が、絵画調の画像が有する特徴量の範囲に含まれる場合に当該画像が絵画画像であると特定し、絵画調の画像が有する特徴量の範囲に含まれない場合に当該画像が写真画像であると特定しても良い。
【００３２】
これらの構成によれば、画像の特徴に基づいて当該画像が絵画画像であるか写真画像であるかを特定し、特定された写真画像の特徴を絵画画像の有する特徴に変換する。このため、従来よりも共通した特徴を有する画像を表示できるので、表示全体の印象が従来よりも統一される。
【００３３】
本実施形態において、画像情報記憶部１０１ａは、画像を表す画像情報と、当該画像が絵画画像であるか、写真画像であるかを表す種類情報とを対応付けて記憶するとして説明した。また、特定部１０３は、画像情報に対応付けられた種類情報に基づいて、当該画像情報で表される画像の種類を特定し、変換部１０４は写真画像と特定された画像を絵画調に変換し、表示部１０５は、絵画画像と特定された画像と、絵画調に変換された画像とを表示するとして説明した。
【００３４】
しかしこれに限定される訳ではなく、画像情報記憶部１０１ａは、画像を表す画像情報と、当該画像が絵画画像であるか、写真画像であるか、絵画画像でも写真画像でもない画像であるかを表す種類情報とを対応付けて記憶し、特定部１０３は、画像情報に対応付けられた種類情報に基づいて、当該画像情報で表される画像の種類を判別する構成を採用できる。また、変換部１０４は、写真画像と特定された画像を絵画調に変換せず、写真画像でも絵画でもない画像と特定された画像を絵画調又は写真画調に変換し、表示部１０５は、絵画画像と特定された画像と、変換されなかった写真画像と、絵画調又は写真画調に変換された画像とを表示するとしても良い。
【００３５】
（実施形態２）
次に、本発明の実施形態２について説明する。本実施形態において、画像表示装置１００は、画像表示装置１００のユーザによって作成された画像（以下、ユーザ画像という）と、当該ユーザと異なる者によって作成された画像とを、異なる色調で表示する。尚、画像の作成とは、例えば、デジタルカメラを用いた画像の撮像、並びにコンピュータを用いた画像の生成及び複製を含む。
【００３６】
実施形態２の画像表示装置１００は、実施形態１と同様に、図２に示すようなハードウェアを備える。画像表示装置１００は、図２のハードウェアで実現される、図６に示すような情報取得部１０２、特定部１０３、変換部１０４、及び表示部１０５を備える。これらの機能部は、実施形態１で説明した機能部と同様であるので重複した説明を省略する。
【００３７】
図６の画像情報記憶部１０１ａは、図７に示すような画像情報テーブルを記憶している。図７の画像情報テーブルには、画像を識別する画像ＩＤと、当該画像を表す画像情報と、当該画像の種類を表す種類情報と、当該画像を作成した作成者を識別する情報（以下、作成者ＩＤという）とが対応付けられて保存されている。
【００３８】
画像表示装置１００のＣＰＵ１００ａは、図２の無線ＬＡＮカード１００ｆと協働することで、図６の情報受信部１０６としてさらに機能する。情報受信部１０６は、不図示のコンピュータネットーワークを介して接続する不図示のサーバから、サービス事業者や他のユーザが作成した画像（以下、ダウンロード画像という）を表す画像情報、又は画像表示装置１００を使用するユーザが作成した画像（以下、ユーザ画像という）を表す画像情報と、当該画像の種類を表す種類情報と、当該画像の作成者を表す作成者ＩＤとを対応付けて受信する。情報受信部１０６は、受信した画像情報と、種類情報と、作成者ＩＤとを対応付けて、図７の画像情報テーブルへ保存する。
【００３９】
画像表示装置１００のＣＰＵ１００ａは、図２のメディアコントローラ１００ｅと協働して、図６の情報入力部１０６としてさらに機能する。情報入力部１０６は、記録媒体からメディアコントローラ１００ｅを介して、ダウンロード画像を表す画像情報又はユーザ画像を表す画像情報と、当該ダウンロード画像の種類情報と、当該ダウンロード画像の作成者ＩＤとを入力し、入力した情報を互いに対応付けて、図の画像情報テーブルへ保存する。
【００４０】
また、画像表示装置１００のＣＰＵ１００ａは、図２のハードディスク１００ｄ又はメディアコントローラ１００ｅによって情報の読み書きが行われる記録媒体と協働することで、ユーザ情報記憶部１０１ｂとして機能する。ユーザ情報記憶部１０１ｂは、画像表示装置１００を使用するユーザを識別する情報（以下、ユーザＩＤという）を記憶している。また、ＣＰＵ１００ａは、図２のＣＭＯＳセンサ１００ｌと協働することで、図６の撮像部１０８としてさらに機能する。
【００４１】
図８の画像表示処理を開始すると、図６の情報取得部１０２は、図７の画像情報テーブルから画像ＩＤと、画像情報と、種類情報と、作成者ＩＤとを複数取得する（ステップＳ１１）。次に、図３のステップＳ０２及びステップＳ０３と同様の処理が実行されることで、絵画画像と写真画像とが特定され（ステップＳ１２）、写真画像と特定された画像の画調が絵画調へ変換される（ステップＳ１３）。
【００４２】
情報取得部１０２は、ユーザ情報記憶部１０１ｂから、ユーザＩＤを取得する（ステップＳ１４）。次に、特定部１０３は、ステップＳ１１で取得された複数の画像情報でそれぞれ表される画像の内で、ユーザＩＤと同じ作成者ＩＤに対応付けられた画像情報で表される画像をユーザ画像とする（ステップＳ１５）。また、特定部１０３は、同様に、ステップＳ１１で取得された複数の画像情報でそれぞれ表される画像の内で、ユーザＩＤと異なる作成者ＩＤに対応付けられた画像情報で表される画像をダウンロード画像と特定する（ステップＳ１６）。
【００４３】
次に、図６の撮像部１０８が撮像を行う（ステップＳ１７）。その後、特定部１０３は、撮像部１０８から出力される情報で表される撮像画像を解析することで、当該画像の色調を特定する（ステップＳ１８）。これにより、例えば、部屋の家具、壁、及びカーテンなどで主に使用されている色を特定する。
【００４４】
その後、変換部１０４は、ステップＳ１５で特定されたユーザ画像の色調を、ステップＳ１８で特定された色調と略同一の色調に変換する（ステップＳ１９）。具体的には、部屋の家具、壁、及びカーテンで主に使用されている色が赤であった場合、変換部１０４は、ユーザ画像のＲ（Red）値を増加させる。
【００４５】
その後、表示部１０５は、色調を変換されたユーザ画像の絵画画像と、絵画調に変換された後に色調を変換されたユーザ画像の写真画像と、色調を変換されていないダウンロード画像の絵画画像と、絵画調に変換されたが色調を変換されていないダウンロード画像の写真画像とを、スライドショー表示した後に（ステップＳ２０）、画像表示処理を終了する。
【００４６】
これらの構成によれば、統一性のある表示を行いながら、画像表示装置１００のユーザが作成した画像と、そうでない画像とを異なる表示態様で表示できる。このため、作成者がそれぞれ異なる画像を表示しても、画像を視認したユーザが、当該画像がユーザによって作成された画像か否かを容易に区別できるにも関わらず、表示全体に統一性を与えることができる。また、ユーザによって作成された画像とそうでない画像とをユーザが容易に区別できるため、例えば、ユーザによって作成された画像と間違えて友人や孫から送られた画像又はサービス事業者から有償又は無償でダウンロード等した画像を削除してしまうことを防止できる。
【００４７】
またこれらの構成によれば、ユーザによって作成された画像の色調を、撮像画像の色調で表示するため、画像表示装置１００の設置された周囲の色に調和する画像を表示できる。
【００４８】
本実施形態において、変換部１０４は、ユーザ画像の色調を、特定部１０３で特定された色調に変換するとして説明したが、これに限定される訳ではない。例えば、変換部１０４は、ユーザ画像の色調を、モノクロ調、単色調、又はセピア調に変換しても良い。
【００４９】
（実施形態３）
次に、本発明の実施形態３について説明する。本実施形態において、画像表示装置１００は、ユーザ画像とダウンロード画像とを異なる時間に亘って表示する。
【００５０】
実施形態３の画像表示装置１００は、実施形態２と同様に、図２に示すようなハードウェアを備える。画像表示装置１００は、図２のハードウェアで実現される図６に示す画像情報記憶部１０１ａ、ユーザ情報記憶部１０１ｂ、情報取得部１０２、特定部１０３、変換部１０４、及び表示部１０５、情報受信部１０６、及び情報入力部１０７を備える。これらの機能部は、実施形態２で説明した機能部と同様であるので重複した説明を省略する。
【００５１】
実施形態３の画像表示装置１００を構成するＣＰＵ１００ａは、図９の画像表示処理を実行する。この画像表示処理が開始されると、図８のステップＳ１１からステップＳ１６と同様の処理が実行される（ステップＳ２１からステップＳ２６）。その後、表示部１０５は、ユーザ画像とダウンロード画像とを順次又はランダムに表示する、図１０のスライドショー表示処理を実行した後に（ステップＳ２７）、画像表示処理の実行を終了する。
【００５２】
図１０のスライドショー表示処理を開始すると、表示部１０５は、ユーザに操作された操作ボタン１００ｊから、スライドショー表示の終了を指示する信号（以下、表示終了指示信号という）が入力されたか否かを判別する（ステップＳ３１）。このとき、表示終了指示信号が入力されていないと判別した場合には（ステップＳ３１；Ｎｏ）、表示部１０５は、例えば、ソフトウェア乱数値を取得し、取得した乱数値に基づいて、次に表示する画像を決定する。その後、表示部１０５は、次に表示すると決定された画像がユーザ画像であるかダウンロード画像であるかを判別する（ステップＳ３２）。
【００５３】
このとき、表示部１０５は、次に表示すると決定された画像がユーザ画像であると判別すると（ステップＳ３２；Ｙｅｓ）、第１時間に亘って、当該決定された画像を表示した後に（ステップＳ３３）、ステップＳ３２に戻り上記処理を繰り返す。
【００５４】
これに対して、表示部１０５は、次に表示すると決定された画像がユーザ画像でない（つまり、ダウンロード画像である）と判別すると（ステップＳ３２；Ｎｏ）、第１時間よりも長い第２時間に亘って、当該決定された画像を表示した後に（ステップＳ３４）、ステップＳ３２に戻り上記処理を繰り返す。
【００５５】
ステップＳ３１において、表示終了指示信号が入力されたと判別した場合には（ステップＳ３１；Ｙｅｓ）、表示部１０５は、スライドショー表示処理の実行を終了する。
【００５６】
尚、第１時間を表す情報及び第２時間を表す情報は、例えば、図２のハードディスク１００ｄに記憶されている。また、第１時間及び第２時間の好適な値は、当業者が実験により定めることができる。さらに、本実施形態において、第２時間は、第１時間よりも長いとして説明したが、これに限定される訳ではなく、第２時間は、第１時間よりも短くても良い。
【００５７】
これらの構成によれば、画像表示装置１００のユーザが作成した画像と、そうでない画像とを異なる時間に亘って表示する。このため、作成者が異なる画像を表示しても、画像を視認したユーザが、当該画像がユーザによって作成された画像か否かを容易に区別できるにも関わらず、表示される画像自体の統一性を失うことを防止できる。
【００５８】
本実施形態において、表示部１０５は、ダウンロード画像を、ユーザ画像の表示時間と異なる時間に亘って表示するとして説明したが、これに限定される訳ではない。例えば、表示部１０５は、ダウンロード画像を、ユーザ画像の表示サイズと異なるサイズで表示しても良い。
【００５９】
この構成によれば、作成者が異なる画像を表示しても、画像を視認したユーザが、当該画像がユーザによって作成された画像か否かを迅速に区別できる。
【００６０】
（変形例）
本実施形態において、画像表示装置１００は、ユーザ画像とダウンロード画像とを異なる時間に亘って表示するとして説明したが、これに限定される訳ではない。画像表示装置１００は、ダウンロード画像を１枚ずつ表示する一方で、複数のユーザ画像を、１枚の画像に配置して表示する変形例を採用できる。以下、本実施形態の変形例において、表示部１０５が実行する、図１１のスライドショー表示処理について説明する。
【００６１】
図１１のスライドショー表示処理を開始すると、表示部１０５は、図９のステップＳ２５で特定された複数のユーザ画像を１枚の画像に配置したレイアウト画像を生成する（ステップＳ４０）。次に、表示部１０５は、図２の操作ボタン１００ｊから表示終了指示信号が入力されたか否かを判別する（ステップＳ４１）。このとき、表示部１０５は、表示終了指示信号が入力されなかったと判別すると（ステップＳ４１；Ｎｏ）、図１０のステップＳ３１と同様に、次に表示すると決定された画像がユーザ画像であるか否かを判別する（ステップＳ４２）。
【００６２】
このとき、表示部１０５は、次に表示すると決定された画像がユーザ画像であると判別すると（ステップＳ４２；Ｙｅｓ）、ステップＳ４０で生成されたレイアウト画像を表示した後に（ステップＳ４３）、ステップＳ４２に戻り上記処理を繰り返す。
【００６３】
これに対して、表示部１０５は、次に表示すると決定された画像がユーザ画像でない（つまり、ダウンロード画像である）と判別すると（ステップＳ４２；Ｎｏ）、次に表示すると決定されたダウンロード画像を表示した後に（ステップＳ４４）、ステップＳ４２に戻り上記処理を繰り返す。
【００６４】
ステップＳ４１において、表示終了指示信号が入力されたと判別した場合には（ステップＳ４１；Ｙｅｓ）、表示部１０５は、スライドショー表示処理の実行を終了する。
【００６５】
これらの構成によれば、画像表示装置１００のユーザが作成した画像は、複数の画像を１枚の画像に配置したレイアウト画像として表示され、そうでない画像（つまり、ダウンロード画像）は１枚ずつ表示される。このため、作成者が異なる画像を表示しても、画像を視認したユーザが、当該画像がユーザによって作成された画像か否かを容易かつ迅速に区別できる。
【００６６】
本実施形態の変形例において、画像表示装置１００は、ダウンロード画像を１枚ずつ表示する一方で、複数のユーザ画像を１枚の画像に配置して表示するとして説明したが、これに限定される訳ではない。例えば、画像表示装置１００は、第１の枚数のユーザ画像を１枚の画像に配置して表示する一方で、第１の枚数よりも少ない第２の枚数のダウンロード画像を１枚の画像に配置して表示する構成を採用できる。
【００６７】
尚、第１の枚数を表す情報及び第２の枚数を表す情報は、例えば、図２のハードディスク１００ｄに記憶されている。また、第１の枚数及び第２の枚数の好適な値は、当業者が実験により定めることができる。さらに、本実施形態において、第２の枚数は、第１の枚数よりも少ないとして説明したが、これに限定される訳ではなく、第２の枚数は、第１の枚数よりも多くても良い。
【００６８】
（実施形態４）
次に、本発明の実施形態４について説明する。本実施形態において、画像表示装置１００は、ダウンロード画像を高輝度で表示し、ユーザ画像をダウンロード画像の表示時よりも低い低輝度で表示する。
【００６９】
実施形態４の画像表示装置１００は、実施形態３と同様に、図２に示すようなハードウェアを備える。画像表示装置１００は、図２のハードウェアで実現される図６に示す画像情報記憶部１０１ａ、ユーザ情報記憶部１０１ｂ、情報取得部１０２、特定部１０３、変換部１０４、及び表示部１０５、情報受信部１０６、及び情報入力部１０７を備える。これらの機能部は、実施形態２で説明した機能部と同様であるので重複した説明を省略する。
【００７０】
実施形態４の画像表示装置１００は、図９の画像表示処理におけるステップＳ２１からステップＳ２６の処理と同様の処理を実行した後に、表示部１０５で、図１２のスライドショー表示処理を実行する。
【００７１】
図１２のスライドショー表示処理を開始すると、表示部１０５は、操作ボタン１００ｊから表示終了指示信号が入力されたか否かを判別する（ステップＳ５１）。このとき、表示終了指示信号が入力されていないと判別した場合には（ステップＳ５１；Ｎｏ）、表示部１０５は、図１０のステップＳ３２と同様に、次に表示する画像を決定し、次に表示すると決定された画像がユーザ画像であるかダウンロード画像であるかを判別する（ステップＳ５２）。
【００７２】
このとき、表示部１０５は、次に表示すると決定された画像がユーザ画像であると判別すると（ステップＳ５２；Ｙｅｓ）、図２のバックライト１００ｉを消灯（つまり、ＯＦＦに）してから（ステップＳ５３ａ）、次に表示すると決定されたユーザ画像をＬＣＤパネル１００ｈに表示する（ステップＳ５３ｂ）。このとき、表示部１０５は、不図示の反射板をＬＣＤパネル１００ｈの背面に移動させることで、外光の反射光を利用する反射表示モードでダウンロード画像を表示しても良い。その後、表示部１０５は、ステップＳ５２に戻り上記処理を繰り返す。
【００７３】
これに対して、表示部１０５は、次に表示すると決定された画像がユーザ画像でない（つまり、ダウンロード画像である）と判別すると（ステップＳ５２；Ｎｏ）、バックライト１００ｉを点灯（つまり、ＯＮに）してから（ステップＳ５４ａ）、次に表示すると決定されたダウンロード画像をＬＣＤパネル１００ｈに表示する（ステップＳ５４ｂ）。その後、表示部１０５は、ステップＳ５２に戻り上記処理を繰り返す。
【００７４】
ステップＳ５１において、表示終了指示信号が入力されたと判別した場合には（ステップＳ５１；Ｙｅｓ）、表示部１０５は、スライドショー表示処理の実行を終了する。
【００７５】
これらの構成によれば、画像表示装置１００のユーザが作成した画像を高輝度で表示し、そうでない画像をユーザが作成した画像よりも輝度が低い低輝度で表示する。このため、作成者が異なる画像を表示しても、画像を視認したユーザが、当該画像がユーザによって作成された画像か否かを容易かつ迅速に区別できる。
【００７６】
本実施形態において、画像表示装置１００は、ダウンロード画像をＬＣＤパネル１００ｈが表示する間においてバックライト１００ｉを点灯させ、ユーザ画像をＬＣＤパネル１００ｈが表示する間においてバックライト１００ｉを消灯させるとして説明したが、これに限定される訳ではない。例えば、画像表示装置１００は、ユーザ画像をＬＣＤパネル１００ｈが表示する間においてバックライト１００ｉを点灯させ、ダウンロード画像をＬＣＤパネル１００ｈが表示する間においてバックライト１００ｉを消灯させる構成を採用できる。
【００７７】
本実施形態において、画像表示装置１００は、ダウンロード画像をＬＣＤパネル１００ｈが表示する間においてバックライト１００ｉを点灯させ、ユーザ画像をＬＣＤパネル１００ｈが表示する間においてバックライト１００ｉを消灯させるとして説明したが、これに限定される訳ではない。例えば、画像表示装置１００は、ダウンロード画像をＬＣＤパネル１００ｈが表示する間と、ユーザ画像をＬＣＤパネル１００ｈが表示する間との双方においてバックライト１００ｉを点灯させるが、ダウンロード画像をＬＣＤパネル１００ｈが表示する間の方が、ユーザ画像をＬＣＤパネル１００ｈが表示する間よりも高い照度でバックライト１００ｉを点灯させる構成を採用できる。また逆に、画像表示装置１００は、ダウンロード画像をＬＣＤパネル１００ｈが表示する間の方が、ユーザ画像をＬＣＤパネル１００ｈが表示する間よりも低い照度でバックライト１００ｉを点灯させる構成を採用しても良い。
【００７８】
（実施形態５）
次に、本発明の実施形態５について説明する。本実施形態において、画像表示装置１００は、主電源がＯＦＦの状態であり、主電源がＯＮの状態に遷移した後に最初に表示する画像がダウンロード画像である場合には、ユーザを検出してから所定時間内に電源がＯＮの状態となりダウンロード画像を表示する。これに対して、画像表示装置１００は、主電源がＯＦＦの状態であり、主電源がＯＮの状態に遷移した後に最初に表示する画像がユーザ画像である場合には、ユーザを検出してから所定時間後に電源がＯＮの状態となりユーザ画像を表示する。実施形態５の画像表示装置１００は、実施形態４と同様に、図２に示すようなハードウェアを備える。
【００７９】
尚、主電源がＯＦＦの状態であるとは、主電源がＯＮの状態よりも画像表示装置１００の消費電力が少ない状態をいい、具体的には、不図示の電源回路から、図２のＣＰＵ１００ａ、ＲＯＭ１００ｂ、ＲＡＭ１００ｃ、及び赤外線センサ１００ｍへ電力が供給されるが、図２に示す他のハードウェアに電力が供給されない、又は主電源がＯＮの状態よりも少ない電力しか供給されない状態をいう。
【００８０】
画像表示装置１００は、図２のハードウェアで実現される図１３（ａ）に示す画像情報記憶部１０１ａ、ユーザ情報記憶部１０１ｂ、情報取得部１０２、特定部１０３、変換部１０４、及び表示部１０５、情報受信部１０６、及び情報入力部１０７を備える。これらの機能部は、実施形態４で説明した機能部と同様であるので重複した説明を省略する。また、画像表示装置１００のＣＰＵ１０１ａは、図２の赤外線センサ１００ｍと協働して、図１３（ａ）の検出部１０９として機能する。
【００８１】
実施形態５の画像表示装置１００は、図９の画像表示処理におけるステップＳ２１からステップＳ２６の処理と同様の処理を実行した後に、表示部１０５を実現するＣＰＵ１００ａで、図１４のスライドショー表示処理を実行する。
【００８２】
図１４のスライドショー表示処理を開始すると、ＣＰＵ１００ａは、主電源がＯＮの状態においてユーザが検出されなかった時間を計時するカウンタＣＴの値を値「0」で初期化する（ステップＳ６１）。次に、ＣＰＵ１００ａは、操作ボタン１００ｊから表示終了指示信号が入力されたか否かを判別する（ステップＳ６２）。このとき、表示終了指示信号が入力されていないと判別した場合には（ステップＳ６２；Ｎｏ）、ＣＰＵ１００ａは、主電源がＯＦＦの状態であるか否かを判別する（ステップＳ６３）。このとき、ＣＰＵ１００ａは、主電源がＯＦＦの状態でない（つまり、ＯＮ状態である）と判別すると（ステップＳ６３；Ｎｏ）、図１３（ａ）の検出部１０９がユーザを検出したか否かを判別する（ステップＳ６４）。
【００８３】
具体的には、検出部１０９は、図２の赤外線センサ１００ｍから出力された信号の信号値が、所定の光量を赤外線センサ１００ｍが受光した場合に出力される所定の信号値よりも大きいか否か判別し、出力された信号の信号値が所定の信号値よりも大きい場合に、画像表示装置１００に対して所定の範囲よりも近づいたユーザを検出する。これに対して、検出部１０９は、出力された信号の信号値が所定の信号値以下の場合に、ユーザを検出しない。
【００８４】
図１４のステップＳ６４において、ユーザが検出されたと判別すると（ステップＳ６４；Ｙｅｓ）、ＣＰＵ１００ａは、ユーザが検出されなかった時間を計時するカウンタＣＴの値を値「0」に戻す（ステップＳ６５）。次に、ＣＰＵ１００ａがＬＣＤパネル１００ｈなどと協働して実現される表示部１０５は、例えば、ソフトウェア乱数に基づいて次に表示する画像（ユーザ画像であってもダウンロード画像であっても良い）を決定し、決定された画像を表示する（ステップＳ６６）。その後、ＣＰＵ１００ａは、ステップＳ６２から上記処理を繰り返す。
【００８５】
図１４のステップＳ６４において、ＣＰＵ１００ａは、ユーザが検出されなかったと判別すると（ステップＳ６４；Ｎｏ）、カウンタＣＴの値を「1」だけインクリメントする（ステップＳ６７）。その後、ＣＰＵ１００ａは、カウンタＣＴの値が所定の閾値Ｔｈを超えたか否かを判別する（ステップＳ６８）。尚、閾値Ｔｈを表す情報は、例えば、図２のハードディスク１００ｄに記憶されている。また、閾値Ｔｈの好適な値は、当業者が実験により定めることができる。
【００８６】
ステップＳ６８において、ＣＰＵ１００ａは、カウンタＣＴの値が所定の閾値Ｔｈを超えなかったと判別すると（ステップＳ６８；Ｎｏ）、ステップＳ６２から上記処理を繰り返す。これに対して、ＣＰＵ１００ａは、カウンタＣＴの値が所定の閾値Ｔｈを超えたと判別すると（ステップＳ６８；Ｙｅｓ）、例えば、ソフトウェア乱数に基づいて、主電源がＯＮ状態となった後に最初に表示する画像（以下、開始画像という）を決定し（ステップＳ６９）、決定された画像の画像ＩＤ（以下、開始画像ＩＤという）を所定の変数に格納する（ステップＳ７０）。次に、ＣＰＵ１００ａは、主電源をＯＦＦの状態にするように指示する信号を、不図示の電源供給回路へ出力することで、画像表示装置１００を主電源がＯＦＦの状態へ遷移させる（ステップＳ７１）。その後、ＣＰＵ１００ａは、ステップＳ６２から上記処理を繰り返す。
【００８７】
ステップＳ６３において、ＣＰＵ１００ａは、主電源がＯＦＦの状態であると判別すると（ステップＳ６３；Ｙｅｓ）、ステップＳ６４と同様に、検出部１０９がユーザを検出したか否かを判別する（ステップＳ７２）。このとき、ＣＰＵ１００ａは、検出部１０９がユーザを検出しなかったと判別すると（ステップＳ７２；Ｎｏ）、ステップＳ６２から上記処理を繰り返す。これに対して、ＣＰＵ１００ａは、検出部１０９がユーザを検出したと判別すると（ステップＳ７２；Ｙｅｓ）、ステップＳ７０で変数に格納された開始画像ＩＤで識別される開始画像が、図９のステップＳ２６で特定されたダウンロード画像であるか否かを判別する（ステップＳ７３）。
【００８８】
このとき、ＣＰＵ１００ａは、開始画像がダウンロード画像であると判別すると（ステップＳ７３；Ｙｅｓ）、所定時間以内に主電源をＯＮとするように指示する信号を、不図示の電源供給回路へ出力することで、画像表示装置１００を主電源がＯＮの状態へ遷移させる（ステップＳ７４）。その後、ＣＰＵ１００ａがＬＣＤパネル１００ｈなどと協働して実現される表示部１０５は、開始画像であるダウンロード画像を表示した後に（ステップＳ７５）、ステップＳ６２から上記処理を繰り返す。
【００８９】
尚、所定時間を表す情報は、例えば、図２のハードディスク１００ｄに記憶されている。また、所定時間の好適な値は、当業者が実験により定めることができる。
【００９０】
これに対して、ＣＰＵ１００ａは、開始画像がダウンロード画像でない（つまり、ユーザ画像である）と判別すると（ステップＳ７３；Ｎｏ）、所定時間後に主電源をＯＮとするように指示する信号を不図示の電源供給回路へ出力し、画像表示装置１００を主電源がＯＮの状態へ遷移させる（ステップＳ７６）。その後、ＣＰＵ１００ａがＬＣＤパネル１００ｈなどと協働して実現される表示部１０５は、開始画像であるユーザ画像を表示した後に（ステップＳ７７）、ステップＳ６２から上記処理を繰り返す。
【００９１】
ステップＳ６２において、表示終了指示信号が入力されたと判別した場合には（ステップＳ６２；Ｙｅｓ）、ＣＰＵ１００ａは、スライドショー表示処理の実行を終了する。
【００９２】
これらの構成によれば、画像表示装置１００のユーザが作成した画像をユーザが検出されてから所定時間後に表示し、画像表示装置１００のユーザとは異なる者が作成した画像をユーザが検出されてから所定時間以内に表示する。このため、作成者が異なる画像を表示しても、画像を視認したユーザが、当該画像がユーザによって作成された画像か否かを容易に区別できるにも関わらず、表示される画像自体の統一性が失われることを防止できる。
【００９３】
尚、画像表示装置１００は、主電源がＯＦＦの状態であり、開始画像がダウンロード画像である場合には、ユーザを検出してから（所定時間内ではなく）所定時間後に電源がＯＮの状態となりダウンロード画像を表示し、主電源がＯＦＦの状態であり、開始画像がユーザ画像である場合には、ユーザを検出してから（所定時間後ではなく）所定時間以内に電源がＯＮの状態となりユーザ画像を表示する構成を採用しても良い。
【００９４】
（変形例）
次に、実施形態５の変形例について説明する。本実施形態の変形例において、画像表示装置１００は、図２のバックライト１００ｉが消灯しており、次に表示する画像がダウンロード画像である場合には、ユーザを検出してから所定時間内にバックライト１００ｉを点灯させてからダウンロード画像を表示する。これに対して、画像表示装置１００は、バックライト１００ｉが消灯しており、次に表示する画像がユーザ画像である場合には、ユーザを検出してから所定時間後にバックライト１００ｉを点灯させてからユーザ画像を表示する。
【００９５】
実施形態５の変形例において、画像表示装置１００は、図９の画像表示処理におけるステップＳ２１からステップＳ２６の処理と同様の処理を実行した後に、表示部１０５で、図１５のスライドショー表示処理を実行する。
【００９６】
図１５のスライドショー表示処理を開始すると、表示部１０５は、カウンタＣＴの値を値「0」で初期化した後に（ステップＳ８１）、操作ボタン１００ｊから表示終了指示信号が入力されたか否かを判別する（ステップＳ８２）。このとき、表示終了指示信号が入力されていないと判別した場合には（ステップＳ８２；Ｎｏ）、表示部１０５は、バックライト１００ｉが消灯しているか（つまり、ＯＦＦであるか）否かを判別する（ステップＳ８３）。このとき、表示部１０５は、バックライト１００ｉがＯＦＦでない（つまり、ＯＮである）と判別すると（ステップＳ８３；Ｎｏ）、図１４のステップＳ６４と同様に、検出部１０９がユーザを検出したか否かを判別する（ステップＳ８４）。
【００９７】
このとき、ユーザが検出されたと判別すると（ステップＳ８４；Ｙｅｓ）、表示部１０５は、カウンタＣＴの値を値「0」に戻す（ステップＳ８５）。これに対して、ユーザが検出されなかったと判別すると（ステップＳ８４；Ｎｏ）、表示部１０５は、カウンタＣＴの値を「1」だけインクリメントした後に（ステップＳ８６）、カウンタＣＴの値が所定の閾値Ｔｈを超えたか否かを判別する（ステップＳ８７）。
【００９８】
ステップＳ８７において、表示部１０５は、カウンタＣＴの値が所定の閾値Ｔｈを超えたと判別すると（ステップＳ８７；Ｙｅｓ）、バックライト１００ｉをＯＦＦにする（ステップＳ８８）。
【００９９】
ステップＳ８５若しくはステップＳ８８の後、又はステップＳ８７において、カウンタＣＴの値が所定の閾値Ｔｈを超えなかったと判別された場合に（ステップＳ８７；Ｎｏ）、表示部１０５は、例えば、ソフトウェア乱数に基づいて表示する画像（ダウンロード画像であってもユーザ画像であっても良い）を決定し、決定した画像を表示する（ステップＳ８９）。その後、表示部１０５は、ステップＳ８２から上記処理を繰り返す。
【０１００】
ステップＳ８３において、表示部１０５は、バックライト１００ｉがＯＦＦであると判別すると（ステップＳ８３；Ｙｅｓ）、図１４のステップＳ６４と同様に、検出部１０９がユーザを検出したか否かを判別する（ステップＳ９０）。
【０１０１】
このとき、表示部１０５は、ユーザが検出されなかったと判別すると（ステップＳ９０；Ｎｏ）、表示部１０５は、ステップＳ８９と同様に、画像を表示した後に（ステップＳ９１）、ステップＳ８２から上記処理を繰り返す。
【０１０２】
ステップＳ９０において、表示部１０５は、検出部１０９がユーザを検出したと判別すると（ステップＳ９０；Ｙｅｓ）、図１０のステップＳ３２と同様に、表示部１０５は、次に表示する画像を決定し、決定された画像がユーザ画像であるかダウンロード画像であるかを判別する（ステップＳ９２）。このとき、表示部１０５は、次に表示する画像がダウンロード画像であると判別すると（ステップＳ９２；Ｙｅｓ）、所定時間以内にバックライト１００ｉをＯＮにする（ステップＳ９３）。その後、表示部１０５は、次に表示する画像として決定されたダウンロード画像を表示した後に（ステップＳ９４）、ステップＳ８２から上記処理を繰り返す。
【０１０３】
これに対して、表示部１０５は、次に表示する画像がダウンロード画像でない（つまり、ユーザ画像である）と判別すると（ステップＳ９２；Ｎｏ）、所定時間後にバックライト１００ｉをＯＮにする（ステップＳ９５）。その後、表示部１０５は、次に表示する画像として決定されたユーザ画像を表示した後に（ステップＳ９６）、ステップＳ８２から上記処理を繰り返す。
【０１０４】
ステップＳ８２において、表示終了指示信号が入力されたと判別した場合には（ステップＳ８２；Ｙｅｓ）、表示部１０５は、スライドショー表示処理の実行を終了する。
【０１０５】
これらの構成によれば、画像表示装置１００のユーザが作成した画像をＬＣＤパネル１００ｈが表示する場合には、ユーザが検出されてから所定時間後に照明であるバックライト１００ｉが点灯することでＬＣＤパネル１００ｈを照らし、画像表示装置１００のユーザとは異なる者が作成した画像をＬＣＤパネル１００ｉが表示する場合には、ユーザが検出されてから所定時間以内に照明であるバックライト１００ｉが点灯することでＬＣＤパネル１００ｈを照らす。このため、作成者が異なる画像を表示しても、画像を視認したユーザが、当該画像がユーザによって作成された画像か否かを容易に区別できるにも関わらず、表示される画像自体の統一性が失われることを防止できる。
【０１０６】
本実施形態の変形例において、画像表示装置１００は、図２のバックライト１００ｉが消灯しており、次に表示する画像がダウンロード画像に決まっている場合には、ユーザを検出してから（所定時間内ではなく）所定時間後にバックライト１００ｉを点灯させてからダウンロード画像を表示する構成を採用できる。またこの構成において、画像表示装置１００は、バックライト１００ｉが消灯しており、次に表示する画像がユーザ画像に決まっている場合には、ユーザを検出してから（所定時間後ではなく）所定時間以内にバックライト１００ｉを点灯させてからユーザ画像を表示する構成を採用できる。
【０１０７】
本実施形態において、情報表示装置１００が備える図１３（ａ）の検出部１０９は、図２のＣＰＵ１０１ａと赤外線センサ１００ｍとが協働することで実現されるとして説明したが、これに限定される訳ではない。例えば、画像表示装置１００は、図２のＣＰＵ１０１ａとＣＭＯＳセンサ１００ｌとが協働することで実現される撮像部１０８をさらに備え、検出部１０９は、撮像部１０８から出力された情報で表される撮像画像からユーザの顔を表す画像領域を検出するユーザ検出処理を、図２のＣＰＵ１０１ａが実行することで実現される構成を採用できる。
【０１０８】
本発明の実施形態１から５、実施形態３の変形例、及び実施形態５の変形例は、それぞれ互いに組み合わせることができる。尚、実施形態１から５、実施形態３の変形例、又は実施形態５の変形例に係る機能を実現するための構成を予め備えた画像表示装置１００として提供できることはもとより、プログラムの適用により、既存の画像表示装置を実施形態１から５、実施形態３の変形例、又は実施形態５の変形例に係る画像表示装置１００として機能させることもできる。すなわち、実施形態１から５、実施形態３の変形例、又は実施形態５の変形例で例示した画像表示装置１００による各機能構成を実現させるための画像表示プログラムを、既存の画像表示装置を制御するコンピュータ（ＣＰＵなど）が実行できるように適用することで、実施形態１から５、実施形態３の変形例、又は実施形態５の変形例に係る画像表示装置１００として機能させることができる。
【０１０９】
このようなプログラムの配布方法は任意であり、例えば、メモリカード、ＣＤ−ＲＯＭ、又はＤＶＤ−ＲＯＭなどの記録媒体に格納して配布できる他、インタネットなどの通信媒体を介して配布することもできる。
【０１１０】
また、本発明は、本発明の広義の精神と範囲を逸脱することなく、様々な実施形態及び変形が可能とされるものである。つまり、本発明のいくつかの実施形態を説明したが、上述した実施形態は本発明を説明するためのものであり、本発明の範囲を限定するものではない。本発明の範囲は、実施形態ではなく、特許請求の範囲に記載された発明とその均等の範囲を含む。
以下に本願出願の当初の特許請求の範囲に記載された発明を付記する。
【０１１１】
（付記１）
画像を表す画像情報と、前記画像の種類が第一画調を表す画像であるかを表す種類情報と、を対応付けて複数記憶する画像情報記憶部と、
前記画像情報記憶部から、互いに対応付けられた前記画像情報と、前記種類情報と、を複数取得する情報取得部と、
前記種類情報に基づいて、前記取得された複数の画像情報でそれぞれ表される画像が、前記第一画調を表す画像であるか前記第一画調とは異なる種類の第二画調を表す画像であるかを特定する特定部と、
前記特定部で前記第二画調を表す画像であると特定された画像の画調を前記第一画調に変換する変換部と、
前記変換部で前記第一画調に変換された画像と、前記特定部で前記第一画調を表す画像であると特定された画像とを表示する表示部と、を備える、
ことを特徴とする画像表示装置。
【０１１２】
（付記２）
前記画像情報記憶部は、前記画像情報に対して、前記画像情報で表される画像を作成した作成者を識別する作成者識別情報を対応付けてさらに記憶し、
前記情報取得部は、前記画像情報記憶部から、前記画像情報と対応付けられた前記作成者識別情報をさらに取得し、
前記表示部によって画像を表示されるユーザを識別するユーザ識別情報を記憶するユーザ情報記憶部をさらに備え、
前記表示部は、前記情報取得部で取得された画像情報であって、前記ユーザ情報記憶部に記憶されたユーザ識別情報と同一の作成者識別情報と対応付けられた画像情報で表される画像を、前記取得された画像情報であって前記ユーザ識別情報と異なる作成者識別情報と対応付けられた画像情報で表される画像の表示態様と異なる表示態様で表示する、
ことを特徴とする付記１に記載の画像表示装置。
【０１１３】
（付記３）
画像を撮像する撮像部をさらに備え、
前記特定部は、前記撮像部で撮像された画像の色調をさらに特定し、
前記表示部は、前記ユーザ識別情報と同一の作成者識別情報と対応付けられた画像情報で表される画像を、前記特定部で特定された色調であって、前記ユーザ識別情報と異なる作成者識別情報と対応付けられた画像の色調と異なる色調で表示する、
ことを特徴とする付記２に記載の画像表示装置。
【０１１４】
（付記４）
前記表示部は、前記ユーザ識別情報と同一の作成者識別情報と対応付けられた画像情報で表される画像を、前記ユーザ識別情報と異なる作成者識別情報と対応付けられた画像情報で表される画像の表示時間と異なる時間に亘って表示する、
ことを特徴とする付記２に記載の画像表示装置。
【０１１５】
（付記５）
前記表示部は、
画像を表示するパネルと、
当該パネルを照らす照明と、
を有し、
前記パネルが前記ユーザ識別情報と同一の作成者識別情報と対応付けられた画像情報で表される画像を表示する場合と、前記パネルが前記ユーザ識別情報と異なる作成者識別情報と対応付けられた画像情報で表される画像を表示する場合と、で、前記照明が前記パネルを照らすか否かが異なる、
ことを特徴とする付記２に記載の画像表示装置。
【０１１６】
（付記６）
ユーザを検出する検出部をさらに備え、
前記表示部は、画像を表示していない状態において前記検出部でユーザが検出されると、所定時間内に前記ユーザ識別情報と異なる作成者識別情報と対応付けられた画像情報で表される画像を表示するか、前記所定時間後に前記ユーザ識別情報と同一の作成者識別情報と対応付けられた画像情報で表される画像を表示するかのいずれかを行う、
ことを特徴とする付記２に記載の画像表示装置。
【０１１７】
（付記７）
ユーザを検出する検出部をさらに備え、
前記照明は、前記ユーザ識別情報と異なる作成者識別情報と対応付けられた画像情報で表される画像を前記パネルが表示する場合には、前記検出部がユーザを検出してから所定時間以内に前記パネルを照らし、前記ユーザ識別情報と同一の作成者識別情報と対応付けられた画像情報で表される画像を前記パネルが表示する場合には、前記検出部がユーザを検出してから前記所定時間以内に前記パネルを照らさない、
ことを特徴とする付記５に記載の画像表示装置。
【０１１８】
（付記８）
コンピュータを、
画像を表す画像情報と、前記画像の種類が第一画調を表す画像であるかを表す種類情報と、を対応付けて複数記憶する画像情報記憶部から、互いに対応付けられた前記画像情報と、前記種類情報と、を複数取得する情報取得部、
前記種類情報に基づいて、前記取得された複数の画像情報でそれぞれ表される画像が、前記第一画調を表す画像であるか前記第一画調とは異なる種類の第二画調を表す画像であるかを特定する特定部、
前記特定部で前記第二画調を表す画像であると特定された画像の画調を前記第一画調に変換する変換部、
前記変換部で前記第一画調に変換された画像と、前記特定部で前記第一画調を表す画像であると特定された画像とを表示する表示部、として機能させる、
ことを特徴とする画像表示プログラム。
【符号の説明】
【０１１９】
１００・・・画像表示装置、１００ａ・・・ＣＰＵ、１００ｂ・・・ＲＯＭ、１００ｃ・・・ＲＡＭ、１００ｄ・・・ハードディスク、１００ｅ・・・メディアコントローラ、１００ｆ・・・無線ＬＡＮカード、１００ｇ・・・ビデオカード、１００ｈ・・・ＬＣＤパネル、１００ｉ・・・バックライト、１００ｊ・・・操作ボタン、１００ｋ・・・スピーカ、１００ｌ・・・ＣＭＯＳセンサ、１００ｍ・・・赤外線センサ、１００ｚ・・・バス、１０１ａ・・・画像情報記憶部、１０１ｂ・・・ユーザ情報記憶部、１０２・・・情報取得部、１０３・・・特定部、１０４・・・変換部、１０５・・・表示部、１０６・・・情報受信部、１０７・・・情報入力部、１０８・・・撮像部、１０９・・・検出部
【図１】
0005874275.tif 000002
【図２】
0005874275.tif 000003
【図３】
0005874275.tif 000004
【図４】
0005874275.tif 000005
【図５】
0005874275.tif 000006
【図６】
0005874275.tif 000007
【図７】
0005874275.tif 000008
【図８】
0005874275.tif 000009
【図９】
0005874275.tif 000010
【図１０】
0005874275.tif 000011
【図１１】
0005874275.tif 000012
【図１２】
0005874275.tif 000013
【図１３】
0005874275.tif 000014
【図１４】
0005874275.tif 000015
【図１５】
0005874275.tif 000016